(57)【特許請求の範囲】
【請求項１】
試料の状態量を測定する、水分センサから成るセンサと、
吸収性物品から成る、測定すべき試料を載せる試料台であって、前記試料をその上に置くための凸面を有する試料台と、
前記センサの、前記試料に対する接触圧がほぼ一定になるようにセンサを支持する支持機構と、
前記センサが前記試料に対して相対的に移動するように前記センサ及び前記試料の少なくとも一方を移動させる移動機構と、
前記移動機構を制御することにより、前記センサを前記試料に対して相対的に移動させながら、前記センサにより、複数箇所において試料の状態量を測定し、そしてそれにより、前記試料の状態量分布を測定する測定機構と、
を具備する状態量分布測定装置であって、
前記センサが、静電容量式の水分センサであり、前記センサと前記試料との間に配置され且つ前記試料を覆うための、前記センサとは別体の絶縁フィルムをさらに備える、
前記状態量分布測定装置。
【請求項２】
前記センサが、あらかじめ定められた間隔を隔てて平行に配置されている一対の電極を具備する、請求項１に記載の状態量分布測定装置。
【請求項３】
前記試料台の前記凸面が、円柱の側面の全部又は一部を構成する曲面である、請求項１又は２に記載の状態量分布測定装置。
【請求項４】
前記移動機構が、前記試料台を、前記円柱の中心軸線回りに回転させ、それにより、前記センサを前記試料に対して相対的に移動させる、請求項３に記載の状態量分布測定装置。
【請求項５】
前記移動機構が、前記試料台を、前記円柱の中心軸線と平行に移動させ、それにより、前記センサを前記試料に対して相対的に移動させる、請求項３又は４に記載の状態量分布測定装置。
【請求項６】
前記支持機構が、前記接触圧が鉛直方向に作用するように且つ前記センサが上下に移動できるように前記センサを保持する、請求項１〜５のいずれか一項に記載の状態量分布測定装置。
【請求項７】
前記支持機構が、天秤である、請求項６に記載の状態量分布測定装置。
【請求項８】
測定結果を表示する表示機構をさらに具備する、請求項１〜７のいずれか一項に記載の状態量分布測定装置。
【請求項９】
試料の状態量分布を測定する方法であって、
（ａ）下記を具備する状態量分布測定装置を準備するステップ、
（ｉ）試料の水分率を測定する、静電容量式の水分センサ、
（ｉｉ）吸収性物品から成る、測定すべき試料を載せる試料台であって、前記試料をその上に置くための凸面を有する試料台、
（ｉｉｉ）前記センサの、前記試料に対する接触圧がほぼ一定になるようにセンサを支持する支持機構、
（ｉｖ）前記センサが前記試料に対して相対的に移動するように前記センサ及び前記試料の少なくとも一方を移動させる移動機構、
（ｖ）測定機構、及び
（ｖｉ）前記センサと前記試料との間に配置され且つ前記試料を覆うための、前記センサとは別体の絶縁フィルム、
（ｂ）前記試料台の凸面に、前記試料を載せるステップ、
（ｃ）前記試料の上に、前記絶縁フィルムを置くステップ、
（ｄ）前記絶縁フィルムを間に挟んで、前記試料の上に、前記センサを置くステップ、そして
（ｅ）前記測定機構が、前記移動機構を制御することにより、前記センサを前記試料に対して相対的に移動させながら、前記センサにより、複数箇所において試料の状態量を測定し、そしてそれにより、前記試料の状態量分布を測定するステップ、
を含む、前記方法。
【請求項１０】
前記状態量分布測定装置が、測定結果を表示する表示機構をさらに含む、請求項９に記載の方法。
【発明の詳細な説明】
【技術分野】
【０００１】
本発明は、状態量分布測定装置、及び試料の状態量分布を測定する方法に関する。
【背景技術】
【０００２】
吸収性物品の開発において、液体を吸収した際の、吸収性物品の特定領域、例えば、吸収面における状態量の分布、例えば、水分の分布、湿度の分布、温度の分布等を適切に評価することは、製品の改良のために重要である。
また、例えば、吸収性物品の濡れ感に関して、着用者は、吸収性物品が吸収した液体の総量に従って濡れ感を感じるのではなく、吸収性物品の吸収面の極々表面に残る水分に従って濡れ感を感じやすいことが経験的に知られている。吸収性物品の内部、特に吸収体に吸収された液体は、体圧等の圧力が加えられた場合であっても、吸収性物品の外に滲みにくいからである。従って、吸収性物品の特定領域の状態量分布を適切に評価できることが重要である。
【０００３】
しかし、例えば、吸収性物品の吸収面の水分量を評価するために、当技術分野において現在用いられている評価方法は、図８に示すように、吸収性物品２４に、人工排泄液等の液体を滴下し、平面上に設置した吸収性物品の上に、ろ紙、ティッシュ等の吸収紙２５を置き、そして上記吸収紙に、おもり２６を載せて一定の荷重をかけ、一定時間後、吸収紙に移行した液体の量を測定するものである（特許文献１〜３）。
【０００４】
しかし、上述の評価方法では、（１）吸収性物品の吸収面の凹凸によっては、吸収紙に接触する部分と、接触しない部分とが生じ、さらに吸収面の部位によって、加えられる圧力が異なる。従って、肌が触れる可能性のある範囲を網羅的に且つ一定条件下で測定することができない問題点がある。さらに、上述の評価方法では、（２）液体の移行は、吸収紙の吸液能に左右されるが、吸収紙により、吸収能のバラツキが大きいため、測定誤差が大きくなる、そして（３）吸収紙への液体の移行量が小さいため、測定誤差が大きい等の問題点をさらに有する。さらに、上記評価方法は、吸収性物品の特定領域の状態量分布を測定できていない。
【０００５】
また、吸収性物品の特定領域の状態量を測定するために、水分センサ、湿度センサ、温度センサ、熱流速センサ、風速センサ等のセンサを用いることも考えられうる。
しかし、そもそも、吸収性物品の吸収面は、一般的に凹凸を有するので、吸収性物品の吸収面における状態量の分布を、一定の条件、例えば、一定の圧力下で測定することは難しい。
【０００６】
さらに、例えば、吸収性物品の吸収面の水分量を測定するために、水分センサを用いることも考えられ、そして上記水分センサとしては、静電容量式、赤外線吸収式、マイクロ波式、電気抵抗式等の水分センサが知られている。それらの中で、吸収性物品の特定領域の水分量を測定するためには、静電容量式の水分センサが好適であると思われる。
【０００７】
しかし、例えば、特許文献４に記載されるように、上記静電容量式のセンサが対象とする水分率は、低水分率、例えば、特許文献４に記載のセンサでは、請求項８に記載されるように、０〜５０質量％の範囲の水分率を測定することを想定しており、一般的に、水分センサで、高水分率領域を測定することは難しいことが知られている。静電容量式のセンサで、高水分率領域を測定することが難しい理由の一つは、センサに水が付着し、測定誤差が大きくなることが挙げられる。
【先行技術文献】
【特許文献】
【０００８】
【特許文献１】特開平０９−２９００００号
【特許文献２】特開２００２−１６５８３０号
【特許文献３】特開２００６−５１２１５９号
【特許文献４】特開平１１−１７４０１５号
【発明の概要】
【発明が解決しようとする課題】
【０００９】
以上のように、従来の測定方法及び測定装置には種々の問題点があった。
従って、本発明は、凹凸を有する吸収性物品の状態量分布を簡易に測定することができる状態量分布測定装置を提供することを目的とする。
本発明はまた、静電容量式の水分センサを用いて、凹凸を有する吸収性物品の高水分率領域の水分率を簡易に測定することができる状態量分布測定装置を提供することをさらなる目的とする。
【課題を解決するための手段】
【００１０】
本発明者らは、上記課題を解決するために鋭意検討した結果、試料の状態量を測定する、水分センサ、湿度センサ、温度センサ、熱流速センサ、及び風速センサから成る群から選択されるセンサと、吸収性物品から成る、測定すべき試料を載せる試料台であって、上記試料をその上に置くための凸面を有する試料台と、上記センサの、上記試料に対する接触圧がほぼ一定になるようにセンサを支持する支持機構と、上記センサが上記試料に対して相対的に移動するように上記センサ及び上記試料の少なくとも一方を移動させる移動機構と、上記移動機構を制御することにより、上記センサを上記試料に対して相対的に移動させながら、上記センサにより、複数箇所において試料の状態量を測定し、そしてそれにより、上記試料の状態量分布を測定する測定機構とを具備する状態量分布測定装置により、上記課題を解決できることを見出し、本発明を完成するに至った。
【００１１】
具体的には、本発明は以下の態様に関する。
［態様１］
試料の状態量を測定する、水分センサ、湿度センサ、温度センサ、熱流速センサ、及び風速センサから成る群から選択されるセンサと、
吸収性物品から成る、測定すべき試料を載せる試料台であって、上記試料をその上に置くための凸面を有する試料台と、
上記センサの、上記試料に対する接触圧がほぼ一定になるようにセンサを支持する支持機構と、
上記センサが上記試料に対して相対的に移動するように上記センサ及び上記試料の少なくとも一方を移動させる移動機構と、
上記移動機構を制御することにより、上記センサを上記試料に対して相対的に移動させながら、上記センサにより、複数箇所において試料の状態量を測定し、そしてそれにより、上記試料の状態量分布を測定する測定機構と、
を具備する状態量分布測定装置。
【００１２】
［態様２］
上記センサが、静電容量式の水分センサであり、上記センサと上記試料との間に配置され且つ上記試料を覆うための、上記センサとは別体の絶縁フィルムをさらに備える、態様１に記載の状態量分布測定装置。
［態様３］
上記センサが、あらかじめ定められた間隔を隔てて平行に配置されている一対の電極を具備する、態様２に記載の状態量分布測定装置。
【００１３】
［態様４］
上記試料台の上記凸面が、円柱の側面の全部又は一部を構成する曲面である、態様１〜３のいずれか一つに記載の状態量分布測定装置。
［態様５］
上記移動機構が、上記試料台を、上記円柱の中心軸線回りに回転させ、それにより、上記センサを上記試料に対して相対的に移動させる、態様４に記載の状態量分布測定装置。
【００１４】
［態様６］
上記移動機構が、上記試料台を、上記円柱の中心軸線と平行に移動させ、それにより、上記センサを上記試料に対して相対的に移動させる、態様４又は５に記載の状態量分布測定装置。
［態様７］
上記支持機構が、上記接触圧が鉛直方向に作用するように且つ上記センサが上下に移動できるように上記センサを保持する、態様１〜６のいずれか一つに記載の状態量分布測定装置。
【００１５】
［態様８］
上記支持機構が、天秤である、態様７に記載の状態量分布測定装置。
［態様９］
測定結果を表示する表示機構をさらに具備する、態様１〜８のいずれか一つに記載の状態量分布測定装置。
【００１６】
［態様１０］
試料の状態量分布を測定する方法であって、
（ａ）下記を具備する状態量分布測定装置を準備するステップ、
（ｉ）試料の状態量を測定する、水分センサ、湿度センサ、温度センサ、熱流速センサ、及び風速センサから成る群から選択されるセンサ、
（ｉｉ）吸収性物品から成る、測定すべき試料を載せる試料台であって、上記試料をその上に置くための凸面を有する試料台、
（ｉｉｉ）上記センサの、上記試料に対する接触圧がほぼ一定になるようにセンサを支持する支持機構、
（ｉｖ）上記センサが上記試料に対して相対的に移動するように上記センサ及び上記試料の少なくとも一方を移動させる移動機構、及び
（ｖ）測定機構、
（ｂ）上記試料台の凸面に、上記試料を載せるステップ、
（ｃ）上記試料の上に、上記センサを置くステップ、そして
（ｄ）上記測定機構が、上記移動機構を制御することにより、上記センサを上記試料に対して相対的に移動させながら、上記センサにより、複数箇所において試料の状態量を測定し、そしてそれにより、上記試料の状態量分布を測定するステップ、
を含む、前記方法。
【００１７】
［態様１１］
試料の状態量分布を測定する方法であって、
（ａ）下記を具備する状態量分布測定装置を準備するステップ、
（ｉ）試料の水分率を測定する、静電容量式の水分センサ、
（ｉｉ）吸収性物品から成る、測定すべき試料を載せる試料台であって、上記試料をその上に置くための凸面を有する試料台、
（ｉｉｉ）上記センサの、上記試料に対する接触圧がほぼ一定になるようにセンサを支持する支持機構、
（ｉｖ）上記センサが上記試料に対して相対的に移動するように上記センサ及び上記試料の少なくとも一方を移動させる移動機構、
（ｖ）測定機構、及び
（ｖｉ）上記センサと上記試料との間に配置され且つ上記試料を覆うための、上記センサとは別体の絶縁フィルム、
（ｂ）上記試料台の凸面に、上記試料を載せるステップ、
（ｃ）上記試料の上に、上記絶縁フィルムを置くステップ、
（ｄ）上記絶縁フィルムを間に挟んで、上記試料の上に、上記センサを置くステップ、そして
（ｅ）上記測定機構が、上記移動機構を制御することにより、上記センサを上記試料に対して相対的に移動させながら、上記センサにより、複数箇所において試料の状態量を測定し、そしてそれにより、上記試料の状態量分布を測定するステップ、
を含む、前記方法。
【００１８】
［態様１２］
上記状態量分布測定装置が、測定結果を表示する表示機構をさらに含む、態様１０又は１１に記載の方法。
【発明の効果】
【００１９】
本発明の状態量分布測定装置は、吸収性物品の状態量分布を簡易に測定することができる。
本発明の状態量分布測定装置はまた、静電容量式の水分センサを用いることにより、凹凸を有する吸収性物品の高水分率領域における水分率を簡易に測定することができる。
【図面の簡単な説明】
【００２０】
【図１】図１は、本発明の状態量分布測定装置の第１の実施形態を示す図である。
【図２】図２は、状態量としての水分量を測定する際の、センサ２と、試料４との位置関係の例を示す図である。
【図３】図３は、凸面が、正円柱の側面の全部又は一部を構成する曲面である例を示す図である。
【図４】図４は、凸面が、楕円柱の側面の全部又は一部を構成する曲面である例を示す図である。
【図５】図５は、移動機構が、センサを試料に対して相対的に移動させる移動例を示す図である。
【図６】図６は、支持機構の別の例を示す図である。
【図７】図７は、実施例１の結果を示す図である。
【図８】図８は、従来の吸収性物品の水分量を測定する方法を説明するための図である。
【図９】図９は、実施例３の結果を示すグラフである。
【図１０】図１０は、実施例３の結果を示すグラフである。
【発明を実施するための形態】
【００２１】
本発明の状態量分布測定装置について、以下、詳細に説明する。
本発明の状態量分布測定器は、吸収性物品から成る、測定すべき試料の状態量分布を測定することができる。上記吸収性物品としては、特に限定されないが、例えば、衛生用品、例えば、使い捨ておむつ、尿漏れ防止用シート、失禁患者用の尿取りパッド、生理用品、例えば、生理用ナプキン及びパンティライナーが挙げられる。
本発明の状態量分布測定器は、上記吸収性物品の中で、センサを適宜選択することにより、吸収性物品の特定領域、例えば、液透過性トップシート、特に極々表面における状態量、吸収体内部における状態量、液透過性バックシートにおける状態量を測定することができる。
【００２２】
図１は、本発明の状態量分布測定装置の第１の実施形態を示す図である。
図１に示される状態量分布測定装置１は、試料の状態量を測定するセンサ２と、吸収性物品から成る、測定すべき試料を載せる試料台であって、上記試料をその上に置くための凸面を有する試料台３と、上記センサの、上記試料に対する接触圧がほぼ一定になるようにセンサを支持する支持機構５と、上記センサが上記試料に対して相対的に移動するようにセンサ及び試料の少なくとも一方を移動させる移動機構６と、移動機構を制御することにより、センサを試料に対して相対的に移動させながら、センサにより、複数箇所において試料の状態量を測定し、そしてそれにより、試料の状態量分布を測定する測定機構９とを具備する。
【００２３】
図１に示される状態量分布測定装置１において、センサ２は、静電容量式の水分センサである。また、図１に示される状態量分布測定装置１において、試料台３は、正円柱を、中心軸線を通る面で切断することにより形成された半正円柱型を有する。さらに、図１に示される状態量分布測定装置１において、支持機構５は、おもり８の位置により試料４に加えられる荷重を調節することができる天秤であり、図１にＢで示される鉛直方向（以下、「方向Ｂ」と称する場合がある）に一定の荷重を加えることができる。
【００２４】
図１に示される状態量分布測定装置１において、移動機構６は、試料台３を、正円柱の中心軸線の回りの方向Ａに沿って回転させ、且つ試料台３を、正円柱の中心軸線と平行、すなわち、図１では、手前から奥の方向に往復運動させることができる。移動機構６が、試料台３を方向Ａに回転させ、さらに試料台３を手前から奥の方向に往復運動させることにより、試料の状態量分布を評価することができる。
なお、本明細書において、試料の状態量分布を測定することを、試料をスキャンすると称する場合がある。
【００２５】
図１に示される状態量分布測定装置１において、センサ２は、支持機構５を介して、そして移動機構６は直接、測定機構９に接続されている。
図１の状態量分布測定装置１において、試料４は、試料台３の上にセットされ、そして絶縁フィルム７が、センサ２と試料４との間に配置され、そして試料４を覆っている。
【００２６】
図１に示される状態量分布測定装置１において、試料４の水分率の分布を測定する手順は、以下の通りである。まず、図１に示される状態量分布測定装置１を準備する。次に、試料台３の凸面に、試料４を載せ、試料４の上に、絶縁フィルム７を置き、そして絶縁フィルム７を間に挟んで、試料４の上に、センサ２を置く。次いで、測定機構９を操作して移動機構６を制御し、試料台３を、試料台３の正円柱の中心軸線の回りのＡ方向に回転させるとともに、試料台３を、手前から奥方向に移動させる。それに伴って、センサ２に、複数箇所における試料４の水分率を測定させる。それらを組み合わせることにより、試料４の水分率の分布を測定する。
なお、図１には図示されていないが、状態量分布測定装置１が、測定結果を表示する表示機構、例えば、モニタ、プリンタ等をさらに具備してもよい。上記表示機構により、測定した結果を、グラフ等の状態で表示することができる。
【００２７】
図１に示される実施形態では、静電容量式の水分センサの例が示されているが、本発明においては、上記センサは、静電容量式の水分センサに限定されず、上記センサは、例えば、静電容量式以外の水分センサ、例えば、赤外線吸収式、マイクロ波式、電気抵抗式等の水分センサであってもよい。さらに、本発明において、上記センサは、水分センサに限定されず、湿度センサ、温度センサ、熱流速センサ、風速センサ等であってもよい。静電容量式、赤外線吸収式、マイクロ波式、電気抵抗式等の水分センサ、並びに湿度センサ、温度センサ、熱流速センサ、及び風速センサは、市販のセンサをそのまま用いることができる。
【００２８】
本発明の状態量分布測定装置に用いられるセンサが、水分センサである場合には、上述のように静電容量式の水分センサが好適である。
上述のように、吸収性物品の濡れ感に関して、着用者は、吸収性物品の吸収面の極々表面に残る水分に従って濡れ感を感じやすいが、静電容量式の水分センサは、その測定原理上、吸収性物品の吸収面の極々表面に残る水分を測定することができるからである。
【００２９】
上記センサが、静電容量式の水分センサである場合には、上述のように、市販の静電容量式の水分センサを任意に採用することができるが、当該静電容量式の水分センサは、図２に示すような断面形状を有することができる。
図２に示されるセンサ２は、あらかじめ定められた間隔を隔てて平行に配置されている一対の電極１０ａ及び１０ｂを有する。一対の電極１０ａ及び１０ｂの間の静電容量は、金属線を介して測定される。図２に示されるセンサ２はまた、一対の電極１０ａ及び１０ｂを支持するための電極支持部１１を含む。図２に示されるセンサ２は、電極支持部１１の測定側の面に、一対の電極１０ａ及び１０ｂが取り付けられている。
【００３０】
上記電極支持部としては、水分率の測定に影響を与えないために、後述の絶縁フィルムと同等の比誘電率、含水率、及び透水性を有することが好ましい。上記電極支持部の素材の例としては、例えば、ベークライト等の商品名で知られる、フェノール樹脂が挙げられる。
【００３１】
なお、図２に示されるセンサ２では、一対の電極１０ａ及び１０ｂの間には、何も存在しないが、本発明の状態量分布測定装置の別の実施形態では、一対の電極１０ａ及び１０ｂの間に、上記電極支持部がさらに配置されていてもよい。一対の電極１０ａ及び１０ｂの間に、上記電極支持部が配置されることにより、電極と、試料との間の間隔を、より一定に保つことができる。
【００３２】
図２に示されるセンサ２は、絶縁フィルム７を間に挟んで、試料４に接している。センサ２には、一定の鉛直方向の荷重が加わっているので、センサ２が、一対の電極１０ａ及び１０ｂと、試料４との距離を一定に保持しながら、静電容量を測定することができる。
【００３３】
上記センサが、静電容量式の水分センサである場合には、本発明の状態量分布測定装置は、上記センサと上記試料との間に配置され且つ上記試料を覆うための、センサとは別体の絶縁フィルムを含むことが好ましい。その理由は、以下の通りである。
測定すべき試料である吸収性物品、例えば、使い捨ておむつの吸収面は、排尿後、水分率が１００％近くに到達することがある。そのような高水分率の状況下で、水分センサを用いて水分率を測定しようとすると、水分の一部が、センサ、特に電極近くに付着したままとなり、測定結果に誤差が含まれやすくなる。従って、センサと、試料との間に、センサとは別体の絶縁フィルムを配置することにより、センサに水分が付着することを防止することができる。
【００３４】
なお、本発明の状態量分布測定装置が、上記絶縁フィルムを含む場合には、センサそのものは、図２に示すように、試料と接する面に、電極のコンデンサとしての性質を保持するための絶縁部を有しなくともよい。また、公知又は市販の静電容量式の水分センサのように、センサは、試料と接する面に、電極のコンデンサとしての性質を保持するための絶縁部を有していてもよい。
【００３５】
上記絶縁フィルムは、水分率を測定するという特質上、真空の誘電率との比（以下、単に「比誘電率」と称する）が、約３０以下であることが好ましく、約２０以下であることがより好ましく、約１０以下であることがさらに好ましく、そして約５以下であることが最も好ましい。比誘電率が高いと、測定誤差の原因となり得るからである。
【００３６】
また、上記絶縁フィルムは、測定誤差を少なくするために、膜厚が薄く且つ均一性を有することが好ましい。
上記膜厚としては、約３００μｍ以下であることが好ましく、約２００μｍ以下であることがより好ましく、約１００μｍ以下であることがさらに好ましく、約５０μｍ以下であることがさらに好ましく、そして約３０μｍ以下であることが最も好ましい。
上記均一性としては、任意に３０点測定した膜厚の変動係数が、約２０％以下であることが好ましく、約１０％以下であることがより好ましく、そして約５％以下であることがさらに好ましい。
なお、変動係数は、次の式（１）：
変動係数（％）＝１００×標準偏差／相加平均    式（１）
により算出される値である。
【００３７】
また、上記絶縁フィルムは、測定誤差を少なくするために、低い含水率を有することが好ましい。含水率が高いと、絶縁フィルムの比誘電率が高くなり、測定誤差が大きくなる場合があるからである。
上記含水率の目安としては、２５℃で２４時間、水中に浸漬した後の含水率が、約３質量％未満であることが好ましく、約１質量％未満であることがより好ましく、そして約０．５質量％未満であることがさらに好ましい。
さらに、上記絶縁フィルムは、低い透水性を有することが好ましい。上記透水性の低さの目安としては、測定中に、センサ、特に電極が水に濡れない程度であればよい。電極が水に濡れると、静電容量を測定することができないからである。
【００３８】
上記絶縁フィルムの素材としては、上記性能を満たすものであれば、特に制限されないが、例えば、ポリアミド、メラミン、エポキシ、ポリエチレン、ポリプロピレン、ポリ塩化ビニリデン、ポリ塩化ビニル、ポリメチルペンテン等が挙げられる。
本発明の状態量分布測定装置は、上記絶縁フィルムを含むことにより、好ましくは約０質量％〜約１００質量％、より好ましくは約１質量％〜約９０質量％、さらに好ましくは約５質量％〜約８０質量％の、非常に広範囲の水分率を有する試料を測定することができる。
なお、上記絶縁フィルムは、測定に悪影響がない限り、静電容量式の水分センサ以外のセンサにも適用することができる。上記絶縁フィルムを用いることにより、センサに水分が付着することに起因する測定誤差を減らすことができる。
【００３９】
図１に示される状態量分布測定装置では、試料台３は、半正円柱型を有するが、本発明においては、試料台の形状は、半正円柱型に限定されず、例えば、試料をその上に置くための凸面を有するものであれば、特に制限されない。
例えば、試料が、測定すべき面が凹凸を有する吸収性物品等である場合に、当該試料を、凸面を有する試料台に乗せると、吸収性物品の測定すべき面が、試料台の凸面に沿って反るので、センサと試料との接触面積を小さくすることができるので、試料の凹凸の影響を受けることが少なく、状態量の分布をスムーズに測定することができる。なお、試料台の凸面は、センサの電極と、試料との接触面積を一定に保つような面であることが好ましい。
【００４０】
上記凸面としては、例えば、円柱の側面の全部又は一部を構成する凸面であることができる。
ここで、本明細書において、「円柱」には、断面が円である正円柱、断面が楕円である楕円柱、断面が略円形である略円柱、断面が略楕円形である略楕円柱等が含まれる。
【００４１】
凸面が、正円柱の側面の全部又は一部を構成する曲面である試料台の例を、図３に示す。図３（ａ）は、凸面２１が、正円柱の側面２３の全部を構成する曲面である例である。なお、符号２２は、正円柱の中心軸線を意味する。図３（ｂ）〜（ｄ）は、凸面が、正円柱の側面の一部を構成する曲面である例である。図３（ｂ）〜（ｄ）では、元となる正円柱が、点線で示されている。図３（ｂ）及び（ｃ）は、断面が中心角θ（図３（ｂ）では、θ＜１８０°であり、そして図３（ｃ）では、θ＞１８０°である）の扇形である例である。
【００４２】
なお、凸面が、正円柱の側面の全部又は一部を構成する曲面である試料台には、図３（ｄ）のような、中心軸線２２を含まず、断面が円弧及び弦から形成される図形である試料台も含まれる。
凸面が、正円柱の側面の全部又は一部を構成する曲面である試料台を用い、さらにセンサの、試料に対する接触圧を、正円柱の中心軸線と垂直に且つ正円柱の中心軸線を通るように加えることにより、接触圧を、試料の厚み方向に加えることができる。
【００４３】
また、凸面が、正円柱の側面の全部又は一部を構成する曲面である試料台を用い、さらに、移動機構を、試料台が上記正円柱の中心軸線回りに回転するように制御することにより、試料台の、センサと接する場所の高さを一定に保ちながら、試料の１次元の状態量の分布を測定することができる。
さらに、凸面が、正円柱の側面の全部又は一部を構成する曲面である試料台を用い、さらに移動機構を、試料台が上記正円柱の中心軸線回りに回転するとともに、試料台が正円柱の中心軸線と平行に移動するように制御することにより、試料台の、センサと接する場所の高さを一定に保ちながら、試料の２次元の状態量の分布を測定することができる。
【００４４】
凸面が、楕円柱の側面の全部又は一部を構成する曲面である試料台の例を、図４に示す。図４（ａ）は、凸面２１が、楕円柱の側面２３の全部を構成する曲面である例である。なお、符号２２は、正円柱の中心軸線を意味する。図４（ｂ）及び（ｃ）は、凸面が、楕円柱の側面の一部を構成する曲面である例であり、元となる楕円柱が、点線で示されている。図４（ｂ）は、断面が中心角θの略扇形である例である。
なお、凸面が、正円柱の側面の全部又は一部を構成する曲面である試料台には、図４（ｃ）のような、中心軸線２２を含まず、断面が楕円弧及び弦から形成される図形である試料台も含まれる。
【００４５】
凸面が、楕円柱の側面の全部又は一部を構成する曲面である試料台を用い、さらにセンサの、試料に対する接触圧を、楕円柱の中心軸線と垂直に且つ楕円柱の中心軸線を通るように加えることにより、接触圧を、試料の略厚み方向に加えることができる。
【００４６】
また、凸面が、楕円柱の側面の全部又は一部を構成する曲面である試料台を用い、さらに、移動機構を、試料台が上記楕円柱の中心軸線回りに回転するように制御することにより、試料台の、センサと接する場所の高さを略一定に保ちながら、試料の１次元の状態量の分布を測定することができる。
さらに、凸面が、楕円柱の側面の全部又は一部を構成する曲面である試料台を用い、さらに移動機構を、試料台が上記楕円柱の中心軸線回りに回転するとともに、試料台が楕円柱の中心軸線と平行に移動するように制御することにより、試料台の、センサと接する場所の高さを略一定に保ちながら、試料の２次元の状態量の分布を測定することができる。
【００４７】
上記試料台は、吸収性物品のほぼ全面を載せることができる大きさを有する限り、その大きさは特に制限されないが、例えば、図３及び図４に示すような試料台の場合には、円柱の直径又は長径が約７〜約１３ｃｍであることができ、そして円柱の高さが約２０〜約７０ｃｍであることができる。
【００４８】
図１に示される実施形態では、移動機構６が、試料台３を、正円柱の中心軸線の回りの方向Ａに沿って回転させるとともに、試料台３を、上記中心軸線と平行に移動させることにより、試料の状態量分布が測定され、移動機構６は、センサ２の動作を制御していない。
しかし、本発明において、移動機構が移動を制御する対象は、本発明の状態量分布測定装置が試料の状態量分布を測定することができる限りは、特に制限されず、例えば、本発明の別の実施形態では、移動機構がセンサの移動を制御する（すなわち、移動機構は、試料台の移動を制御しない）ことができる。また、本発明の別の実施形態では、移動機構が、センサ及び試料台の両方の移動を制御し、センサ及び試料台を、それぞれ、異なる方向、例えば、直交する方向に移動させることができる。この場合には、移動機構は、試料台を回転させるように制御してもよい。
【００４９】
図３及び図４に示すような実施形態では、移動機構が、試料台を、円柱の中心軸線回りに回転させることにより、センサを、試料に対して移動させることが好ましい。状態量分布を測定する際の、試料台の、センサと接する場所の高さの変化が少なくなることができるからである。
また、上記回転の角度は、試料である吸収性物品の形状、試料台の大きさ等によって変化するものであり、特に制限されるものではないが、例えば、約１８０°以内であることができ、そして約９０°以内であることができる。
【００５０】
また、図３及び図４に示すような実施形態では、移動機構が、試料台を、円柱の中心軸線と平行に移動させることにより、センサを、試料に対して移動させることが好ましい。移動機構が、試料台を円柱の中心軸線と平行に移動させる距離は、試料である吸収性物品の形状によって変化するものであり、特に制限されるものではないが、例えば、約０〜約４０ｃｍであることができる。
【００５１】
図５に、移動機構が、センサを試料に対して相対的に移動させる移動例を示す。図５は、試料台３を上から見た図であり、試料台３の上には、試料４として、生理用ナプキンが、点線で示されている。図５において、矢印は、移動機構が、センサを試料に対して相対的に移動させる際のセンサの相対的な動きを意味し、そして実線の矢印は、スキャン時を、点線の矢印は、非スキャン時を意味する。
図５において、便宜上、吸収体の長手方向及びその直交方向を、それぞれ、ｘ軸方向及びｙ軸方向とし、そして図５に示される試料台３の左下の点を原点とする。
【００５２】
図５（ａ）は、吸収性物品２４の、長手方向と直交する方向の断面を、長手方向の位置を変えて繰返しスキャンする例である。図５（ａ）のようにスキャンするためには、（ｉ）移動機構が、センサのみを、図５（ａ）に実線及び点線の矢印で示される順に移動させること（移動機構は、試料台を移動させない）、（ｉｉ）移動機構が、試料台のみを、図５（ａ）に実線及び点線の矢印で示される順と逆順で移動させること（移動機構は、センサを移動させない）、（ｉｉｉ）移動機構が、試料台を回転させることにより、センサをｙ軸の正方向に相対的に移動させ、試料台をｘ軸の負方向に移動させることにより、センサを相対的にｘ軸の正方向に移動させ、試料台を回転させることにより、センサをｙ軸の負方向に相対的に移動させ、試料台をｘ軸の負方向に移動させることにより、センサを相対的にｘ軸の正方向に移動させること、次いで、これらの手順を繰り返すこと（移動機構は、センサを移動させない）等が考えられる。
また、ｙ軸方向の動きを、試料台が担い、ｘ軸方向の動きをセンサが担ってもよい。
【００５３】
図５（ｂ）は、吸収性物品２４の、長手方向の断面を、長手方向と直交する方向の位置を変えて繰返しスキャンする例である。図５（ｂ）のようにスキャンするためには、（ｉ）移動機構が、センサのみを、図５（ｂ）に実線及び点線の矢印で示されるように移動させること（移動機構は、試料台を移動させない）、（ｉｉ）移動機構が、試料台のみを、図５（ｂ）に実線及び点線の矢印で示される順と逆順で移動させること（移動機構は、センサを移動させない）、（ｉｉｉ）移行機構が、試料台をｘ軸の負方向に移動させることにより、センサをｘ軸の正方向に相対的に移動させ、試料台を回転させることにより、センサをｙ軸の正方向に相対的に移動させ、センサをｘ軸の負方向に相対的に移動させ、次いで試料台を回転させることにより、センサをｙ軸の正方向に相対的に移動させ、これらの手順を繰り返すこと（センサは移動しない）等が考えられる。
また、ｙ軸方向の動きを、試料台が担い、ｘ軸方向の動きをセンサが担ってもよい。
【００５４】
図５（ｃ）は、吸収性物品２４の、斜め方向の断面を、位置を変えて繰返しスキャンする例である。図５（ｃ）のようにスキャンするためには、（ｉ）移動機構が、センサのみを、図５（ｃ）に実線及び点線の矢印で示されるように移動させること（移動機構は、試料台を移動させない）、（ｉｉ）移動機構が、試料台のみを、図５（ｃ）に実線及び点線の矢印で示される順と逆順で移動させること（移動機構は、センサを移動させない）、（ｉｉｉ）移動機構が、試料台をｘ軸の負方向に一定の速度で動きながら、試料台を一定の範囲内で往復回転運動させること（移動機構は、センサを移動させない）等が考えられる。
また、ｙ軸方向の動きを、試料台が担い、ｘ軸方向の動きをセンサが担い、それらを組み合わせることにより図５（ｃ）に示される動きを達成してもよい。
【００５５】
図５（ｄ）は、吸収性物品２４を、外縁から内部に向かってスキャンする例である。図５（ｄ）に示されるようにスキャンするためには、（ｉ）移動機構が、センサのみを、図５（ｄ）に実線及び点線の矢印で示されるように移動させること（移動機構は、試料台を移動させない）、（ｉｉ）移動機構が、試料台のみを、図５（ｄ）に実線及び点線の矢印で示される順と逆順で移動させること（移動機構は、センサを移動させない）、（ｉｉｉ）移動機構が、試料台のｙ軸方向の回転と、ｘ軸方向の移動とを組み合わせることにより、図５（ｄ）に示されるように、センサを相対的に動かすこと（移動機構は、センサを移動させない）等が考えられる。
また、ｙ軸方向の動きを、試料台が担い、ｘ軸方向の動きをセンサが担ってもよい。
図５（ａ）〜（ｄ）に示されるような実施形態において、移動機構が試料台のみを動かすことが好ましい。センサの、試料に対する接触圧を、重力等を利用して簡易に制御することができるからである。
【００５６】
上記移動機構としては、例えば、モーターが挙げられる。
なお、図５に示される試料台３の凸面が、図３及び図４に示されるような、円柱の側面の全部又は一部を構成する曲面である場合には、ｘ軸は、円柱の中心軸線と平行な方向となり、そしてｙ軸は、円柱の中心軸線周りの回転により生ずる方向となることができる。
【００５７】
図１に示される状態量分布測定装置では、支持機構は天秤である。支持機構として天秤を用いることにより、測定すべき試料に凹凸があっても、一定の接触圧を保つことができる。
本発明において、試料に対する接触圧がほぼ一定になるようにセンサを支持することができるものであれば、支持機構は、図５に示されるような天秤に限定されない。例えば、支持機構は、接触圧が鉛直方向に作用するように且つセンサが上下に移動できるようにセンサを保持するものであることができる。
例えば、センサがそれほど重くなく、センサの、試料に対する接触圧を小さくする必要がない場合には、図６に示されるような、センサの反対側におもりを有しない支持機構６を用いることができる。
【００５８】
センサの、試料に対する接触圧は、測定すべき試料、センサの種類等によっても変わるが、例えば、約１〜約１００ｇ／ｃｍ2であることができ、約２〜約５０ｇ／ｃｍ2であることが好ましく、そして約３〜約２０ｇ／ｃｍ2であることがより好ましい。例えば、着用時に吸収性物品に加わる体圧を再現しながら、状態量分布を測定する場合には、上記接触圧は、約５〜約１５ｇ／ｃｍ2であることができる。
【００５９】
本発明に用いられる測定機構としては、例えば、コンピュータが挙げられる。
別の実施形態では、本発明の状態量分布測定装置が、センサにより測定された状態量と、移動機構からの位置情報とを記録する記録機構をさらに具備していてもよい。上記測定機構と、上記記録機構とは、同一のコンピュータであってもよい。
【００６０】
本発明の状態量分布測定装置では、試料としての吸収性物品に、人工尿、人工経血等を滴下した後、吸収性物品を試料台に乗せ、一定の条件、例えば、一定時間後に状態量分布を測定してもよいが、別の実施形態では、本発明の状態量分布測定装置が、人工尿、人工経血等の試験溶液を滴下する滴下機構をさらに具備していてもよい。
本発明のさらに別の実施形態では、上記滴下機構は、実際の排尿、排便等をシミュレーションするために、試験溶液の滴下速度、滴下量、滴下回数、滴下温度等を制御することができるものであってもよい。
【００６１】
本発明のさらに別の実施形態では、上記滴下機構は、コンピュータにより、試験溶液の滴下速度、滴下量、滴下回数、滴下温度等を制御されるものであってもよい。その場合には、当該コンピュータは、上記測定機構及び／又は記録機構のコンピュータと同一又は異なるコンピュータであることができる。
本発明のさらに別の実施形態では、センサ、支持機構、移動機構、記録機構、滴下機構等を同一又は異なるコンピュータで制御することにより、状態量の分布を全自動で行うことができる。
【００６２】
本発明の状態量分布測定装置は、モニタ、プリンタ等の、測定結果を表示する表示機構をさらに具備していてもよい。上記表示機構は、上記測定機構に接続されるのが一般的である。
【００６３】
本発明の状態量分布測定装置が、表示機構を具備することにより、試料の状態量分布を、例えば、グラフ化することができる。
上記表示機構により表示されるグラフとしては、例えば、（ｉ）吸収性物品の長手方向をｘ軸とし、そして吸収性物品の長手方向に直行する方向をｙ軸とし、吸収性物品の状態量、例えば、水分、湿度、温度、熱流速、風速等をｚ軸とする、吸収性物品の全面の状態量の分布を示す、３次元等高線グラフ、３次元縦棒グラフ等の３次元グラフ、（ｉｉ）吸収性物品の長手方向のある位置において、吸収性物品の長手方向に直行する方向をｘ軸とし、吸収性物品の状態量をｙ軸とする、吸収性物品の断面の状態量の分布を示す、折れ線グラフ、棒グラフ、散布図等の２次元グラフ等が挙げられる。
上記グラフ化により、試料である吸収性物品の状態量の分布、例えば、吸収体の中央付近は、水分率が低いが、長手方向に前方にずれた位置では、水分率が高く、当該位置における水分率の高さが、着用時の不快感に繋がっている等の分析が可能となる。
【００６４】
本発明の状態量分布測定装置はまた、センサが静電容量式の水分センサである場合に、試料、センサ等の静電気を除去するための静電気除去機構をさらに具備することができる。試料の状態量分布を測定するに前に、試料にアースを接触させることにより、静電気を除去し、測定精度を高めることができる。
【実施例】
【００６５】
以下、実施例及び比較例を挙げて本発明を説明するが、本発明はこれらの実施例に限定されるものではない。
［実施例１］
シルコット（商標）（ユニ・チャーム（株）製）に、一定量の水分を含ませて、異なる水分率を有する、指標１〜６の標準試料を作成した。次いで、上記標準試料を、２０℃で１日間、密封状態で静置した。
【００６６】
次いで、図１に示される状態量分布測定装置を準備した。
次いで、指標１〜６の標準試料を試料台に載せ、上記状態量分布測定装置を用いて、それらの水分率を測定した。センサの、試料に対する接触圧は、８ｇ／ｃｍ２であった。
結果を、表１及び図７に示す。なお、表１及び図７では、水分率（質量％）と、一対の電極間にかかる電圧（Ｖ）との関係が示されている。
【００６７】
【表１】
0005751998.tif 000002
【００６８】
表１及び図７から明らかなように、本発明の状態量分布測定装置は、広範囲の水分率を、定量的に評価することができることが分かる。
【００６９】
［実施例２］
指標１〜６の標準試料の標準試料を、複数の被験者に指で触れてもらい、その状態を、（ｉ）乾燥している、（ｉｉ）湿っている、（ｉｉｉ）濡れている、及び（ｉｖ）びしょ濡れであるの４段階で評価してもらった。
結果を表２に示す。
【００７０】
【表２】
0005751998.tif 000003
【００７１】
以上より、おおむね、水分率が約０〜約５０％の場合に「乾燥している」と、水分率が約５０〜約７０％の場合に「湿っている」と、水分率が約７０〜約８０％の場合に「濡れている」と、そして水分率が約８０〜約１００％の場合に「びしょ濡れである」と区分けすることができる。
これらのデータを元に、測定結果を、水分率ではなく、乾燥している状態を白とし、そしてびしょ濡れである状態を青として、吸収性物品の濡れ具合を視覚化するようなグラフを作成することも可能である。
【００７２】
［実施例３］
試料として、ソフィ  ボディフィット（商標）ふつうの日用  羽つき（ユニ・チャーム株式会社製）を準備した。上記試料の中央（長手方向の中央且つ長手方向に直交する方向の中央）に、人工経血６ｍＬを滴下した。
次いで、図１に示される状態量分布測定装置の試料台の上に、上記試料を載せ、上記試料の上に、ポリ塩化ビニリデンから成る絶縁フィルムを置き、そして上記絶縁フィルムを間に挟んで、上記試料の上にセンサを置いた。センサの接触圧は、８ｇ／ｃｍ2であった。
【００７３】
人工経血を滴下後１分経過してから、上記試料の水分率の分布を、図５（ａ）に示されるように測定した。測定は、上記試料の長手方向と直交する方向をｘ軸（試料の右側が正）とし、上記試料の長手方向をｙ軸（試料の前側が正）とし、上記中心を原点とした場合に、ｙ＝＋６（ｍｍ）のところで、ｘ＝−１５〜＋１５（ｍｍ）まで、５ｍｍ間隔で計７点の静電容量を測定し、そしてｙ＝＋３（ｍｍ）のところで、同様に測定した。次いで、ｙ＝０，−３及び−６（ｍｍ）のところで、同様に測定した。
図９に、ｙ＝０における、上記試料の長手方向と直交する方向の静電容量の分布を、棒グラフとして示す。なお、静電容量は、測定された電圧として示してある。
図１０に、上記試料内の静電容量の分布を、３次元等高線グラフとして示す。
【符号の説明】
【００７４】
１    状態量分布測定装置
２    センサ
３    試料台
４    試料
５    支持機構
６    移動機構
７    絶縁フィルム
８    おもり
９    測定機構
１０ａ，１０ｂ    電極
１１    電極支持部
２１    凸面
２２    中心軸線
２３    側面
２４    吸収性物品
２５    吸収紙
２６    おもり
【図１】
0005751998.tif 000004
【図２】
0005751998.tif 000005
【図３】
0005751998.tif 000006
【図４】
0005751998.tif 000007
【図５】
0005751998.tif 000008
【図６】
0005751998.tif 000009
【図７】
0005751998.tif 000010
【図８】
0005751998.tif 000011
【図９】
0005751998.tif 000012
【図１０】
0005751998.tif 000013